(57)【要約】【課題】第１受信装置および第２受信装置の間のスキューおよびキャリア位相差を精度良く測定する。【解決手段】複数の送信信号を互いに周波数が異なる複数のサブキャリアに変調した複数の変調信号を加算した調整信号を送信する送信部と、調整信号を第１受信装置に供給して第１検波信号として検波させ、調整信号を第２受信装置に供給して第２検波信号として検波させる供給部と、第１検波信号における複数のサブキャリアのそれぞれに対応する周波数成分に含まれている、それぞれが直交信号である複数の第１抽出信号を抽出する第１抽出部と、第２検波信号における複数のサブキャリアのそれぞれに対応する周波数成分に含まれている、それぞれが直交信号である複数の第２抽出信号を抽出する第２抽出部と、第１抽出信号と第２抽出信号とのサブキャリア毎の位相差を算出する位相差算出部とを備える測定装置を提供する。【選択図】図２
2008092188.tif 000002
【特許請求の範囲】
【請求項１】
入力した信号を互いに同一の周波数のキャリア信号により検波する第１受信装置および第２受信装置の間における、検波された信号の伝播時間の差であるスキューおよび検波に用いるキャリア信号の位相差であるキャリア位相差の少なくとも一方を測定する測定装置であって、
複数の送信信号を互いに周波数が異なる複数のサブキャリアに変調した複数の変調信号を加算した調整信号を送信する送信部と、
前記調整信号を前記第１受信装置に供給して第１検波信号として検波させ、前記調整信号を前記第２受信装置に供給して第２検波信号として検波させる供給部と、
前記第１検波信号における複数のサブキャリアのそれぞれに対応する周波数成分に含まれている、それぞれが直交信号である複数の第１抽出信号を抽出する第１抽出部と、
前記第２検波信号における複数のサブキャリアのそれぞれに対応する周波数成分に含まれている、それぞれが直交信号である複数の第２抽出信号を抽出する第２抽出部と、
前記複数の第１抽出信号および前記複数の第２抽出信号に基づき、前記第１抽出信号と前記第２抽出信号とのサブキャリア毎の位相差を算出する位相差算出部と、
前記第１抽出信号と前記第２抽出信号との前記サブキャリア毎の位相差に基づき、前記スキューおよび前記キャリア位相差の少なくとも一方を算出する演算部と
を備える測定装置。
【請求項２】
前記演算部は、サブキャリアの周波数に対する前記位相差の傾きをスキューとして算出するスキュー算出部を有する請求項１に記載の測定装置。
【請求項３】
前記演算部は、サブキャリアの周波数に対する前記位相差の関係に基づいて前記キャリア信号に対応する周波数における中心位相差を算出し、算出した前記中心位相差をキャリア位相差として出力するキャリア位相差算出部と
を有する請求項１に記載の測定装置。
【請求項４】
前記供給部は、前記調整信号を前記第１受信装置の入力端および前記第２受信装置の入力端に伝送する第１伝送路および第２伝送路を有し、
第１測定フェーズにおいて、前記送信部から送信された調整信号を前記第１伝送路を介して前記第１受信装置に供給するとともに、前記送信部から送信された調整信号を前記第２伝送路を介して前記第２受信装置に供給し、第２測定フェーズにおいて、前記送信部から送信された調整信号を前記第２伝送路を介して前記第１受信装置に供給するとともに、前記送信部から送信された調整信号を前記第１伝送路を介して前記第２受信装置に供給する切替部を更に備え、
前記演算部は、前記第１測定フェーズにおいて得られた前記サブキャリア毎の位相差および前記第２測定フェーズにおいて得られた前記サブキャリア毎の位相差に基づき、前記スキューおよび前記キャリア位相差を算出する
請求項１に記載の測定装置。
【請求項５】
前記演算部は、
前記第１測定フェーズにおいて得られたサブキャリアの周波数に対する前記位相差の第１の傾きを算出する第１傾き算出部と、
前記第２測定フェーズにおいて得られたサブキャリアの周波数に対する前記位相差の第２の傾きを算出する第２傾き算出部と、
前記第１の傾きと前記第２の傾きとの平均をスキューとして出力するスキュー平均化部と
を有する請求項４に記載の測定装置。
【請求項６】
前記演算部は、
前記第１測定フェーズにおいて得られたサブキャリアの周波数に対する前記位相差の関係に基づいて、前記キャリア信号に対応する周波数における第１中心位相差を算出する第１中心位相差算出部と、
前記第２測定フェーズにおいて得られたサブキャリアの周波数に対する前記位相差の関係に基づいて、前記キャリア信号に対応する周波数における第２中心位相差を算出する第２中心位相差算出部と、
前記第１中心位相差と前記第２中心位相差との平均をキャリア位相差として出力するキャリア位相差平均化部と
を有する請求項４に記載の測定装置。
【請求項７】
送信すべき信号を互いに同一の周波数のキャリア信号により変調した出力信号を出力する第１被試験送信回路および第２被試験送信回路を試験する試験装置であって、
前記第１被試験送信回路から出力された第１出力信号を入力し、入力した前記第１出力信号をキャリア信号を用いて検波する第１受信装置と、
前記第２被試験送信回路から出力された第２出力信号を入力し、入力した前記第２出力信号を前記第１受信装置が用いたキャリア信号の周波数と同一の周波数のキャリア信号を用いて検波する第２受信装置と、
前記第１受信装置により検波された信号および前記第２受信装置により検波された信号に基づき、前記第１被試験送信回路および前記第２被試験送信回路の良否を判定する判定部と、
前記第１受信装置および前記第２受信装置の間における、検波された信号の伝播時間の差であるスキューおよび検波に用いるキャリア信号の位相差であるキャリア位相差の少なくとも一方を測定する測定装置と、
前記スキューおよび前記キャリア位相差の少なくとも一方の測定結果に基づき、前記第１受信装置および前記第２受信装置の間における前記スキューおよび前記キャリア位相差の少なくとも一方を補正する補正部とを備え、
前記測定装置は、
複数の送信信号を互いに周波数が異なる複数のサブキャリアに変調した複数の変調信号を加算した調整信号を送信する送信部と、
前記調整信号を前記第１受信装置に供給して第１検波信号として検波させ、前記調整信号を前記第２受信装置に供給して第２検波信号として検波させる供給部と、
前記第１検波信号における複数のサブキャリアのそれぞれに対応する周波数成分に含まれている、それぞれが直交信号である複数の第１抽出信号を抽出する第１抽出部と、
前記第２検波信号における複数のサブキャリアのそれぞれに対応する周波数成分に含まれている、それぞれが直交信号である複数の第２抽出信号を抽出する第２抽出部と、
前記複数の第１抽出信号および前記複数の第２抽出信号に基づき、前記第１抽出信号と前記第２抽出信号とのサブキャリア毎の位相差を算出する位相差算出部と、
前記第１抽出信号と前記第２抽出信号との前記サブキャリア毎の位相差に基づき、前記スキューおよび前記キャリア位相差の少なくとも一方を算出する演算部と
を有する試験装置。
【請求項８】
入力した信号を互いに同一の周波数のキャリア信号により検波する第１受信装置および第２受信装置の間における、検波された信号の伝播時間の差であるスキューおよび検波に用いるキャリア信号の位相差であるキャリア位相差の少なくとも一方を測定する測定方法であって、
複数の送信信号を互いに周波数が異なる複数のサブキャリアに変調した複数の変調信号を加算した調整信号を送信し、
前記調整信号を前記第１受信装置に供給して第１検波信号として検波させ、前記調整信号を前記第２受信装置に供給して第２検波信号として検波させ、
前記第１検波信号における複数のサブキャリアのそれぞれに対応する周波数成分に含まれている、それぞれが直交信号である複数の第１抽出信号を抽出し、
前記第２検波信号における複数のサブキャリアのそれぞれに対応する周波数成分に含まれている、それぞれが直交信号である複数の第２抽出信号を抽出し、
前記複数の第１抽出信号および前記複数の第２抽出信号に基づき、前記第１抽出信号と前記第２抽出信号とのサブキャリア毎の位相差を算出し、
前記第１抽出信号と前記第２抽出信号との前記サブキャリア毎の位相差に基づき、前記スキューおよび前記キャリア位相差の少なくとも一方を算出する
測定方法。
【発明の詳細な説明】
【技術分野】
【０００１】
本発明は、測定装置、試験装置および測定方法に関する。特に本発明は、２つの受信装置の間におけるスキューおよびキャリア位相差を測定する測定装置、試験装置および測定方法に関する。
【背景技術】
【０００２】
無線通信の空間多重伝送技術として、ＭＩＭＯ（Ｍｕｌｔｉｐｌｅ  Ｉｎｐｕｔ  Ｍｕｌｔｉｐｌｅ  Ｏｕｔｐｕｔ）が知られている。ＭＩＭＯを利用した通信装置は、同一のキャリア周波数の複数の変調信号を同時に無線送信する。ＭＩＭＯは、例えば、ＩＥＥＥ８０２．１１ｎ（例えば、非特許文献１参照）等への採用が予定されている。ＭＩＭＯを利用した通信装置を試験する試験装置は、当該通信装置から複数の変調信号を同時に出力させ、これら複数の変調信号を複数の受信装置により同時に検波して良否判定する。
【０００３】
このような試験装置は、複数の受信装置間のスキューおよびキャリア位相差を無くして精度良く信号を受信することを目的として、試験に先立ってスキューおよびキャリア位相差を測定する。複数の受信装置間のスキューおよびキャリア位相差の測定は、次のように行われる。まず、試験装置は、外部信号源から出力された基準信号を複数の受信装置のそれぞれに検波させ、複数の受信装置のそれぞれにより検波された複数の検波信号をサンプリングする。次に、試験装置は、サンプリングした複数の検波信号間のパワーエンベロープを比較して、複数の受信装置間のスキューを算出する。
【０００４】
次に、試験装置は、サンプリングした複数の検波信号を算出したスキューに応じて補正する。次に、試験装置は、補正した複数の検波信号の位相を比較し、キャリア位相差を算出する。試験装置は、一例として、検波信号に含まれているパイロット信号の位相を検出することにより、当該検波信号の位相を検出する（例えば、非特許文献２参照）。
【０００５】
【非特許文献１】"ＩＥＥＥ  ８０２．１１  ＬＡＮ／ＭＡＮ  Ｗｉｒｅｌｅｓｓ  ＬＡＮＳ"、［ｏｎｌｉｎｅ］、「ＩＥＥＥ  Ｓｔａｎｄａｒｄｅ  Ａｓｓｏｓｉａｔｉｏｎ、［平成１８年９月１１日検索］、インターネット〈http://standards.ieee.org/getieee802/802.11.html〉
【非特許文献２】守倉  正博、久保田  周治  監修、「改訂版８０２．１１高速無線ＬＡＮ教科書」、株式会社インプレスネットビジネスカンパニー、２００５年１月、ｐ．２１２−２１４
【発明の開示】
【発明が解決しようとする課題】
【０００６】
ところで、以上の測定方法の場合、試験装置は、サンプリングクロックの周期より細かい分解能でスキューを算出することができないので、測定精度に限界があった。また、以上の測定方法の場合、試験装置は、スキューを補正した後にキャリア位相差を測定するので、スキューに含まれる誤差がキャリア位相差にも影響する。従って、試験装置は、精度良くキャリア位相差を測定することが困難であった。
【０００７】
そこで本発明は、上記の課題を解決することのできる測定装置、試験装置および測定方法を提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するために、本発明の第１形態においては、入力した信号を互いに同一の周波数のキャリア信号により検波する第１受信装置および第２受信装置の間における、検波された信号の伝播時間の差であるスキューおよび検波に用いるキャリア信号の位相差であるキャリア位相差の少なくとも一方を測定する測定装置であって、複数の送信信号を互いに周波数が異なる複数のサブキャリアに変調した複数の変調信号を加算した調整信号を送信する送信部と、調整信号を第１受信装置に供給して第１検波信号として検波させ、調整信号を第２受信装置に供給して第２検波信号として検波させる供給部と、第１検波信号における複数のサブキャリアのそれぞれに対応する周波数成分に含まれている、それぞれが直交信号である複数の第１抽出信号を抽出する第１抽出部と、第２検波信号における複数のサブキャリアのそれぞれに対応する周波数成分に含まれている、それぞれが直交信号である複数の第２抽出信号を抽出する第２抽出部と、複数の第１抽出信号および複数の第２抽出信号に基づき、第１抽出信号と第２抽出信号とのサブキャリア毎の位相差を算出する位相差算出部と、第１抽出信号と第２抽出信号とのサブキャリア毎の位相差に基づき、スキューおよびキャリア位相差の少なくとも一方を算出する演算部とを備える測定装置を提供する。
【０００９】
本発明の第２形態においては、送信すべき信号を互いに同一の周波数のキャリア信号により変調した出力信号を出力する第１被試験送信回路および第２被試験送信回路を試験する試験装置であって、第１被試験送信回路から出力された第１出力信号を入力し、入力した第１出力信号をキャリア信号を用いて検波する第１受信装置と、第２被試験送信回路から出力された第２出力信号を入力し、入力した第２出力信号を第１受信装置が用いたキャリア信号の周波数と同一の周波数のキャリア信号を用いて検波する第２受信装置と、第１受信装置により検波された信号および第２受信装置により検波された信号に基づき、第１被試験送信回路および第２被試験送信回路の良否を判定する判定部と、第１受信装置および第２受信装置の間における、検波された信号の伝播時間の差であるスキューおよび検波に用いるキャリア信号の位相差であるキャリア位相差の少なくとも一方を測定する測定装置と、スキューおよびキャリア位相差の少なくとも一方の測定結果に基づき、第１受信装置および第２受信装置の間におけるスキューおよびキャリア位相差の少なくとも一方を補正する補正部とを備え、測定装置は、複数の送信信号を互いに周波数が異なる複数のサブキャリアに変調した複数の変調信号を加算した調整信号を送信する送信部と、調整信号を第１受信装置に供給して第１検波信号として検波させ、調整信号を第２受信装置に供給して第２検波信号として検波させる供給部と、第１検波信号における複数のサブキャリアのそれぞれに対応する周波数成分に含まれている、それぞれが直交信号である複数の第１抽出信号を抽出する第１抽出部と、第２検波信号における複数のサブキャリアのそれぞれに対応する周波数成分に含まれている、それぞれが直交信号である複数の第２抽出信号を抽出する第２抽出部と、複数の第１抽出信号および複数の第２抽出信号に基づき、第１抽出信号と第２抽出信号とのサブキャリア毎の位相差を算出する位相差算出部と、第１抽出信号と第２抽出信号とのサブキャリア毎の位相差に基づき、スキューおよびキャリア位相差の少なくとも一方を算出する演算部とを有する試験装置を提供する。
【００１０】
本発明の第３形態においては、入力した信号を互いに同一の周波数のキャリア信号により検波する第１受信装置および第２受信装置の間における、検波された信号の伝播時間の差であるスキューおよび検波に用いるキャリア信号の位相差であるキャリア位相差の少なくとも一方を測定する測定方法であって、複数の送信信号を互いに周波数が異なる複数のサブキャリアに変調した複数の変調信号を加算した調整信号を送信し、調整信号を第１受信装置に供給して第１検波信号として検波させ、調整信号を第２受信装置に供給して第２検波信号として検波させ、第１検波信号における複数のサブキャリアのそれぞれに対応する周波数成分に含まれている、それぞれが直交信号である複数の第１抽出信号を抽出し、第２検波信号における複数のサブキャリアのそれぞれに対応する周波数成分に含まれている、それぞれが直交信号である複数の第２抽出信号を抽出し、複数の第１抽出信号および複数の第２抽出信号に基づき、第１抽出信号と第２抽出信号とのサブキャリア毎の位相差を算出し、第１抽出信号と第２抽出信号とのサブキャリア毎の位相差に基づき、スキューおよびキャリア位相差の少なくとも一方を算出する測定方法を提供する。
【００１１】
なお、上記の発明の概要は、本発明の必要な特徴の全てを列挙したものではなく、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本実施形態に係る試験装置１０の構成を第１被試験送信回路２１０および第２被試験送信回路２２０とともに示す。試験装置１０は、第１被試験送信回路２１０および第２被試験送信回路２２０を試験する。第１被試験送信回路２１０および第２被試験送信回路２２０は、送信すべき信号を互いに同一の周波数のキャリア信号により変調した出力信号を出力する。
【００１４】
本実施形態において、第１被試験送信回路２１０および第２被試験送信回路２２０は、出力信号として、互いに同一の周波数のキャリア信号に変調されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を出力する。ＯＦＤＭ信号は、送信すべき複数の信号（直交信号）を互いに周波数が異なる複数のサブキャリアに変調した複数の変調信号を加算した信号である。第１被試験送信回路２１０および第２被試験送信回路２２０は、一例として、ＩＥＥＥ８０２．１１ｎにおいて採用されるＭＩＭＯ方式に対応した複数のＯＦＭＤ信号を出力してよい。また、第１被試験送信回路２１０および第２被試験送信回路２２０は、実使用時において、それぞれ異なるアンテナから複数のＯＦＤＭ信号を出力するものであってよい。また、第１被試験送信回路２１０および第２被試験送信回路２２０は、１つの筐体または基板に実装されていてもよいし、別体であってもよい。
【００１５】
試験装置１０は、第１受信装置１１０と、第２受信装置１２０と、送信制御部１２と、判定部１４と、発振部１６と、測定装置２０と、補正部２２とを備える。第１受信装置１１０は、第１被試験送信回路２１０から出力された第１出力信号を入力し、入力した第１出力信号をキャリア信号を用いて検波する。第２受信装置１２０は、第２被試験送信回路２２０から出力された第２出力信号を入力し、入力した第２出力信号を第１受信装置１１０が用いたキャリア信号の周波数と同一の周波数のキャリア信号を用いて検波する。すなわち、第１受信装置１１０および第２受信装置１２０は、入力した信号を互いに同一の周波数のキャリア信号により検波する。第１受信装置１１０および第２受信装置１２０は、一例として、入力した信号を互いに同一の周波数のキャリア信号により同期検波し、同期検波した信号を例えばアナログデジタルコンバータでサンプリングしてよい。
【００１６】
送信制御部１２は、第１被試験送信回路２１０および第２被試験送信回路２２０を制御して、当該第１被試験送信回路２１０および第２被試験送信回路２２０から第１受信装置１１０および第２受信装置１２０へ所定の試験用の出力信号を出力させる。判定部１４は、第１受信装置１１０により検波された信号および第２受信装置１２０により検波された信号に基づき、第１被試験送信回路２１０および第２被試験送信回路２２０の良否を判定する。本実施形態においては、判定部１４は、第１受信装置１１０および第２受信装置１２０のそれぞれにより検波されたＯＦＤＭ信号をフーリエ変換（例えば高速フーリエ変換）して、複数のサブキャリアのそれぞれに含まれていた信号（直交信号）を抽出する。そして、判定部１４は、抽出した信号と期待値信号とを比較して、第１受信装置１１０および第２受信装置１２０の良否を判定する。発振部１６は、第１受信装置１１０および第２受信装置１２０が検波に用いる所定周波数のキャリア信号を出力する。
【００１７】
測定装置２０は、第１受信装置１１０および第２受信装置１２０の間における、検波された信号の伝播時間の差であるスキューおよび検波に用いるキャリア信号の位相差であるキャリア位相差の少なくとも一方を測定する。補正部２２は、測定装置２０によるスキューおよびキャリア位相差の少なくとも一方の測定結果に基づき、第１受信装置１１０および第２受信装置１２０の間におけるスキューおよびキャリア位相差の少なくとも一方を補正する。補正部２２は、一例として、スキューおよびキャリア位相差をより小さくするように、当該スキューおよびキャリア位相差を補正する。
【００１８】
以上のような試験装置１０によれば、第１受信装置１１０および第２受信装置１２０の間のスキューおよびキャリア位相差を補正する。従って、試験装置１０によれば、第１被試験送信回路２１０および第２被試験送信回路２２０を精度良く試験することができる。
【００１９】
図２は、本実施形態に係る測定装置２０の構成を、発振部１６、第１受信装置１１０および第２受信装置１２０とともに示す。第１受信装置１１０および第２受信装置１２０のそれぞれは、一例として、検波部３０２と、サンプリング部３０４と、記憶部３０６とを有してよい。検波部３０２は、例えばミキサーを有し、入力した信号と発振部１６から出力されたキャリア信号とを乗算することにより、入力した信号を検波する。サンプリング部３０４は、例えばＡＤ変換器を有し、検波部３０２により検波された信号をアナログデジタル変換することによりサンプリングする。記憶部３０６は、サンプリング部３０４によりサンプリングされた信号を記憶する。記憶部３０６は、一例として、サンプリングされた信号を時系列に取り込んで、連続アドレスに順次記憶してよい。
【００２０】
ここで、第１受信装置１１０および第２受信装置１２０の間におけるスキューは、検波された信号の伝播時間の差をいう。スキューは、一例として、入力された信号を検波部３０２が検波した時刻から、当該信号をサンプリング部３０４がサンプリングする時刻までの遅延時間の、第１受信装置１１０および第２受信装置１２０の間における差を含んでよい。また、例えば、スキューは、第１受信装置１１０および第２受信装置１２０の間における、検波部３０２からサンプリング部３０４までの伝送路の遅延量の差を含んでよい。
【００２１】
また、第１受信装置１１０および第２受信装置１２０の間におけるキャリア位相差は、検波に用いるキャリア信号の位相差をいう。キャリア位相差は、一例として、検波部３０２に入力されるキャリア信号の位相の、第１受信装置１１０および第２受信装置１２０の間における差を含んでよい。また、例えば、キャリア位相差は、第１受信装置１１０および第２受信装置１２０の間における、発振部１６から検波部３０２までの伝送路の遅延量の差に応じた位相であってよい。
【００２２】
測定装置２０は、送信部３２と、供給部３４と、検波制御部３６と、第１抽出部４２と、第２抽出部４４と、位相差算出部４６と、演算部４８とを有する。送信部３２は、複数の送信信号を互いに周波数が異なる複数のサブキャリアに変調した複数の変調信号を加算した調整信号を送信する。本実施形態において、送信部３２は、調整信号として、所定周波数のキャリア信号により変調することにより、当該所定周波数に周波数シフトしたＯＦＤＭ信号を出力する。
【００２３】
供給部３４は、送信部３２から送信された調整信号を第１受信装置１１０に供給して第１検波信号として検波させるとともに、送信部３２から送信された調整信号を第２受信装置１２０に供給して第２検波信号として検波させる。供給部３４は、一例として、パワーディバイダ５２と、第１伝送ケーブル５４と、第２伝送ケーブル５６とを含んでよい。パワーディバイダ５２は、送信部３２から送信された調整信号を例えば略同一の電力の第１の調整信号および第２の調整信号に分割する。第１伝送ケーブル５４は、パワーディバイダ５２から出力された第１の調整信号を第１受信装置１１０の入力端３０８に供給する。第２伝送ケーブル５６は、パワーディバイダ５２から出力された第２の調整信号を第２受信装置１２０の入力端３０８に供給する。
【００２４】
検波制御部３６は、第１受信装置１１０および第２受信装置１２０による検波を制御する。検波制御部３６は、一例として、第１受信装置１１０および第２受信装置１２０のそれぞれのサンプリング部３０４に対してサンプリングクロックを供給してよい。さらに、検波制御部３６は、一例として、第１受信装置１１０および第２受信装置１２０のそれぞれにおける、サンプリング部３０４によりサンプルされた検波信号を記憶部３０６への取り込む取込タイミングを制御してよい。
【００２５】
検波制御部３６により制御された第１受信装置１１０は、発振部１６から出力されたキャリア信号により調整信号を検波した第１検波信号を出力する。本実施形態においては、第１検波信号として、キャリア周波数に対応する周波数が０とされたベースバンドのＯＦＤＭ信号を出力する。また、検波制御部３６により制御された第２受信装置１２０は、発振部１６から出力されたキャリア信号により調整信号を検波した第２検波信号を出力する。本実施形態においては、第２検波信号として、ベースバンドのＯＦＤＭ信号を出力する。
【００２６】
第１抽出部４２は、第１検波信号における複数のサブキャリアのそれぞれに対応する周波数成分に含まれている、それぞれが直交信号である複数の第１抽出信号を抽出する。本実施形態においては、第１抽出部４２は、第１受信装置１１０により検波された第１検波信号（ＯＦＤＭ信号）をフーリエ変換（例えば高速フーリエ変換）して、複数のサブキャリアのそれぞれに含まれていた複数の第１抽出信号（直交信号）を抽出する。
【００２７】
第２抽出部４４は、第２検波信号における複数のサブキャリアのそれぞれに対応する周波数成分に含まれている、それぞれが直交信号である複数の第２抽出信号を抽出する。本実施形態においては、第２抽出部４４は、第２受信装置１２０により検波されたＯＦＤＭ信号をフーリエ変換（例えば高速フーリエ変換）して周波数ドメインにおいてサブキャリア毎に分割することにより、複数のサブキャリアのそれぞれに含まれていた複数の第１抽出信号（直交信号）を抽出する。
【００２８】
位相差算出部４６は、第１抽出部４２から出力された複数の第１抽出信号および第２抽出部４４から出力された複数の第２抽出信号を入力する。位相差算出部４６は、複数の第１抽出信号および複数の第２抽出信号に基づき、第１抽出信号と第２抽出信号とのサブキャリア毎の位相差を算出する。
【００２９】
演算部４８は、位相差算出部４６により算出された第１抽出信号と第２抽出信号とのサブキャリア毎の位相差に基づき、スキューおよびキャリア位相差の少なくとも一方を算出する。演算部４８は、一例として、スキュー算出部５８と、キャリア位相差算出部６０とを含んでよい。スキュー算出部５８は、サブキャリアの周波数に対する位相差の傾きをスキューとして算出する。キャリア位相差算出部６０は、サブキャリアの周波数に対する位相差の関係に基づいてキャリア信号に対応する周波数における中心位相差を算出し、算出した中心位相差をキャリア位相差として出力する。
【００３０】
このような構成の測定装置２０は、演算部４８により算出されたスキューおよびキャリア位相差を補正部２２に供給する。そして、補正部２２は、供給されたスキューおよびキャリア位相差に基づき、第１受信装置１１０および第２受信装置１２０を補正する。
【００３１】
図３は、本実施形態に係る測定装置２０および補正部２２によるスキューおよびキャリア位相差の測定および補正フローを示す。図４は、ベースバンドのＯＦＤＭ信号の一例を示す。図５は、第１検波信号および第２検波信号に対するフーリエ変換範囲の一例を示す。図６は、サブキャリアの周波数に対する位相の関係の一例を示す。以下、スキューおよびキャリア位相差の測定および補正処理について説明する。
【００３２】
まず、送信部３２は、調整信号を送信する（Ｓ１００１）。送信部３２は、一例として、調整信号として、下記式（１）により表されるような信号を送信してよい。すなわち、送信部３２は、図４により表されるベースバンドのＯＦＤＭ信号に所定長のガードインターバル（ＧＩ）を付加した信号を、所定周波数のキャリア信号に変調した調整信号として出力してよい。
【００３３】
【数１】
2008092188.tif 000003
【００３４】
式（１）において、ｎ、ｔ、Ｔｘ（ｔ）、ωＣ、ωｎ、ξｎは、次の内容を意味する。以降の式においても同様とする。
ｎ：サブキャリア番号
ｔ：時刻
Ｔｘ（ｔ）：調整信号
ωＣ：キャリア信号の角周波数
ωｎ：サブキャリア番号ｎのサブキャリアの角周波数
ξｎ：サブキャリア番号ｎのサブキャリアの位相
【００３５】
次に、供給部３４は、調整信号を第１受信装置１１０に供給して第１検波信号として検波させるとともに、調整信号を第２受信装置１２０に供給して第２検波信号として検波させる（Ｓ１００２）。第１受信装置１１０は、一例として、式（１）により表された調整信号が供給される。そして、第１受信装置１１０は、この調整信号とキャリア信号とを乗算することにより式（２）に表されるような第１検波信号（ベースバンドの時間領域のＯＦＤＭ信号）を検波する。また、第２受信装置１２０は、一例として、式（１）により表された調整信号が供給される。そして、第２受信装置１２０は、この調整信号とキャリア信号とを乗算することにより、式（３）に表されるような第２検波信号（ベースバンドの時間領域のＯＦＤＭ信号）を検波する。
【００３６】
【数２】
2008092188.tif 000004
【００３７】
式（２）、（３）において、Ｃｈ１（ｔ）、Ｃｈ２（ｔ）、Δτ、Δθは、次の内容を意味する。以降の式においても同様とする。
Ｃｈ１（ｔ）：第１検波信号
Ｃｈ２（ｔ）：第２検波信号
Δτ：第１受信装置１１０および第２受信装置１２０の間のスキュー
Δθ：第１受信装置１１０および第２受信装置１２０の間のキャリア位相差
【００３８】
次に、第１抽出部４２は、第１検波信号における複数のサブキャリアのそれぞれに対応する周波数成分に含まれている複数の第１抽出信号（直交信号）を抽出する。第２抽出部４４は、第２検波信号における複数のサブキャリアのそれぞれに対応する周波数成分に含まれている複数の第２抽出信号（直交信号）を抽出する（Ｓ１００３）。第１抽出部４２および第２抽出部４４は、一例として、ベースバンドの時間領域のＯＦＤＭ信号である第１検波信号および第２検波信号に対してフーリエ変換（例えば高速フーリエ変換）をしてよい。
【００３９】
第１抽出部４２および第２抽出部４４は、一例として、記憶部３０６に記憶された検波信号の中の検波制御部３６により指定された演算範囲に対してフーリエ変換をする。検波制御部３６は、一例として、記憶部３０６に記憶された検波信号に対してレプリカ信号を用いて相関を検出してシンボル境界を見つけ出し、当該シンボル境界から演算範囲を決定してよい。そして、第１抽出部４２および第２抽出部４４は、フーリエ変換結果として得られた複数の周波数成分のそれぞれを、複数のサブキャリアに含まれている複数の第１抽出信号および複数の第２抽出信号として出力してよい。
【００４０】
ここで、図５に示すように、第１抽出部４２および第２抽出部４４は、検波信号における１シンボル長からＧＩ長を除いた演算範囲に対してフーリエ変換する。さらに、第１抽出部４２および第２抽出部４４は、第１検波信号および第２検波信号から、同一タイミングの演算範囲を抜き出してフーリエ変換する。従って、第１受信装置１１０および第２受信装置１２０の間にスキューが含まれているので、第１抽出部４２および第２抽出部４４は、第１検波信号におけるシンボル開始位置から演算範囲の開始位置までの遅延量と、第２検波信号におけるシンボル開始位置から演算範囲の開始位置までの遅延量とが、スキュー分ずれる。なお、第１検波信号および第２検波信号のいずれに対する演算範囲も１つのシンボル内に含まれるように、第１抽出部４２および第２抽出部４４は、第１検波信号のシンボル開始位置およびガードインターバルの終了位置の間における、シンボル開始位置および終了位置の双方から、想定されるスキューの最大値以上の離れた位置（例えばガードインターバルの中間位置）を、演算範囲の開始点としてよい。
【００４１】
次に、位相差算出部４６は、第１抽出信号と第２抽出信号とのサブキャリア毎の位相差を算出する（Ｓ１００４）。位相差算出部４６は、一例として、直交信号である第１抽出信号と第２抽出信号とをサブキャリア周波数毎に複素除算し、複素除算した結果の位相をサブキャリア毎の位相差として出力してよい。このように複素除算した結果の位相を得ることにより、位相差算出部４６は、送信部３２による周波数特性をキャンセルすることができる。位相差算出部４６は、一例として、第２抽出信号を第１抽出信号により複素除算して位相を得ることにより、下記式（４）に表されるような位相差を出力してよい。
【００４２】
【数３】
2008092188.tif 000005
【００４３】
次に、演算部４８のスキュー算出部５８は、スキューを算出する（Ｓ１００５）。ここで、図６および式（４）を参照すると、サブキャリアの角周波数ωｎを横軸とした場合、サブキャリアの角周波数ωｎに対する位相差θは１次関数で表され、スキューΔτは、この１次関数の傾きであることがわかる。従って、スキュー算出部５８は、一例として、サブキャリアの周波数に対する位相差の傾きをスキューとして算出してよい。
【００４４】
次に、演算部４８のキャリア位相差算出部６０は、キャリア位相差を算出する（Ｓ１００６）。ここで、図６および式（４）を参照すると、キャリア位相差Δθは、サブキャリアの角周波数ωｎに対する位相差θの１次関数における、Ｙ軸の切片であることがわかる。すなわち、キャリア位相差Δθは、サブキャリアの角周波数が０の場合における、すなわち、キャリア周波数と一致する場合における、位相差θ（中心位相差）であることがわかる。従って、キャリア位相差算出部６０は、一例として、サブキャリアの周波数に対する位相差の関係に基づいて中心位相差を算出し、算出した中心位相差をキャリア位相差として出力してよい。
【００４５】
次に、補正部２２は、スキューおよびキャリア位相差の測定結果に基づき、第１受信装置１１０および第２受信装置１２０の間におけるスキューおよびキャリア位相差を補正する（Ｓ１００７）。補正部２２は、一例として、第１受信装置１１０または第２受信装置１２０における検波した信号を伝送する伝送線（例えば、検波部３０２とサンプリング部３０４との間の伝送線）の遅延量を調整することにより、スキューを補正してよい。また、補正部２２は、検波した信号をサンプリングするクロック（例えば、サンプリング部３０４のサンプリングクロック）の遅延量を調整することにより、スキューを補正してよい。
【００４６】
また、補正部２２は、一例として、発振部１６から第１受信装置１１０または第２受信装置１２０へキャリア信号を伝送する伝送線の遅延量を調整することにより、キャリア位相差を補正してよい。また、補正部２２は、フーリエ変換後の復調信号の位相を補正する補正係数を設定し、試験時において、検出した位相を補正係数に乗じてスキュー及びキャリア位相差を補正してよい。また、補正部２２は、第１受信装置１１０または第２受信装置１２０が入力した信号を検波部３０２へ伝送する伝送線の遅延量を調整することにより、スキューおよびキャリア位相差を補正してよい。
【００４７】
以上のような測定装置２０によれば、第１受信装置１１０および第２受信装置１２０の間のスキューを精度良く算出することができる。さらに、測定装置２０によれば、スキューとは独立にキャリア位相差を算出するので、第１受信装置１１０および第２受信装置１２０の間のキャリア位相差を精度良く算出することができる。そして、このような測定装置２０を備える試験装置１０によれば、精度良く算出されたスキューおよびキャリア位相差に基づき第１受信装置１１０および第２受信装置１２０を補正するので、第１被試験送信回路２１０および第２被試験送信回路２２０を精度良く試験することができる。
【００４８】
なお、試験装置１０は、複数の第２受信装置１２０を備えてもよい。この場合において、測定装置２０は、第１受信装置１１０を基準として複数の第２受信装置１２０との間のスキューを測定する。これにより、試験装置１０によれば、３以上の受信装置を備える場合であっても、これらのスキューおよびキャリア位相差を補正して、精度良く試験することができる。
【００４９】
図７は、本実施形態の変形例に係る測定装置２０の構成を、発振部１６、第１受信装置１１０および第２受信装置１２０とともに示す。本変形例に係る測定装置２０は、図２に示した同一符号の部材と略同一の構成および機能を採るので、以下相違点を除き説明を省略する。図２に示した測定装置２０においては、送信部３２から第１受信装置１１０までの伝送路および送信部３２から第２受信装置１２０までの伝送路のスキュー（以下、入力スキューという。）が０である場合を示したが、本変形例によれば、この入力スキューを有する場合にも、スキューおよびキャリア位相差を精度良く測定することができる。
【００５０】
本変形例に係る供給部３４は、送信部３２から出力された調整信号を第１受信装置１１０の入力端３０８および第２受信装置１２０の入力端３０８に伝送する第１伝送ケーブル５４および第２伝送ケーブル５６を含む。これに加え、供給部３４は、パワーディバイダ５２も含んでよい。供給部３４がパワーディバイダ５２を含む場合、第１伝送ケーブル５４および第２伝送ケーブル５６は、パワーディバイダ５２により分割された後の調整信号を第１受信装置１１０の入力端３０８および第２受信装置１２０の入力端３０８に伝送する。
【００５１】
さらに、本変形例に係る測定装置２０は、切替部７０を更に有する。切替部７０は、第１測定フェーズにおいて、送信部３２から送信された調整信号を第１伝送ケーブル５４を介して第１受信装置１１０に供給するとともに、送信部３２から送信された調整信号を第２伝送ケーブル５６を介して第２受信装置１２０に供給する。さらに、切替部７０は、第２測定フェーズにおいて、送信部３２から送信された調整信号を第２伝送ケーブル５６を介して第１受信装置１１０に供給するとともに、送信部３２から送信された調整信号を第１伝送ケーブル５４を介して第２受信装置１２０に供給する。
【００５２】
切替部７０は、一例として、第１伝送ケーブル５４の信号出力端の接続先を第１受信装置１１０および第２受信装置１２０の間で切り替えるとともに、第２伝送ケーブル５６の信号出力端の接続先を第１受信装置１１０および第２受信装置１２０の間で切り替えるスイッチマトリクスであってよい。また、スイッチマトリクスである場合、切替部７０は、手動でユーザにより切り替えられてよい。また、第１伝送ケーブル５４および第２伝送ケーブル５６は、ユーザにより直接抜き差しされて、接続先が切り換えられてもよい。
【００５３】
さらに、本変形例に係る演算部４８は、第１測定フェーズにおいて得られたサブキャリア毎の位相差および第２測定フェーズにおいて得られたサブキャリア毎の位相差に基づき、スキューおよびキャリア位相差を算出する。演算部４８のスキュー算出部５８は、一例として、第１傾き算出部７２と、第２傾き算出部７４と、スキュー平均化部７６とを含んでよい。第１傾き算出部７２は、第１測定フェーズにおいて得られたサブキャリアの周波数に対する位相差の第１の傾きを算出する。第２傾き算出部７４は、第２測定フェーズにおいて得られたサブキャリアの周波数に対する位相差の第２の傾きを算出する。スキュー平均化部７６は、第１傾き算出部７２により算出された第１の傾きと第２傾き算出部７４により算出された第２の傾きとの平均をスキューとして出力する。
【００５４】
また、演算部４８のキャリア位相差算出部６０は、一例として、第１中心位相差算出部８２と、第２中心位相差算出部８４と、キャリア位相差平均化部８６とを含んでよい。第１中心位相差算出部８２は、第１測定フェーズにおいて得られたサブキャリアの周波数に対する位相差の関係に基づいて、キャリア信号に対応する周波数における第１中心位相差を算出する。第２中心位相差算出部８４は、第２測定フェーズにおいて得られたサブキャリアの周波数に対する位相差の関係に基づいて、キャリア信号に対応する周波数における第２中心位相差を算出する。キャリア位相差平均化部８６は、第１中心位相差算出部８２により算出された第１中心位相差と第２中心位相差算出部８４により算出された第２中心位相差との平均をキャリア位相差として出力する。
【００５５】
図８は、本変形例に係る測定装置２０によるスキューおよびキャリア位相差の測定フローを示す。まず、第１測定フェーズにおいて、測定装置２０は、送信部３２から送信された調整信号を第１伝送ケーブル５４を介して第１受信装置１１０に供給するとともに、送信部３２から送信された調整信号を第２伝送ケーブル５６を介して第２受信装置１２０に供給して、図３に示すステップＳ１００１〜ステップＳ１００５の処理を実行する（Ｓ１１０１）。第１測定フェーズにおいては、第１受信装置１１０は、一例として、下記式（５）に表されるような第１検波信号（ベースバンドの時間領域のＯＦＤＭ信号）を検波し、第２受信装置１２０は、一例として、下記式（６）に表されるような第２検波信号（ベースバンドの時間領域のＯＦＤＭ信号）を検波する。
【００５６】
【数４】
2008092188.tif 000006
【００５７】
式（６）において、Δτｄは、次の内容を意味する。以降の式においても同様とする。
Δτｄ：第１伝送ケーブル５４および第２伝送ケーブル５６の間のスキュー（入力スキュー）
【００５８】
式（５）および式（６）から、第１測定フェーズにおいて得られたサブキャリアの周波数に対する位相差の第１の傾きは、（Δτ＋Δτｄ）となる。また、第１測定フェーズにおいて得られたキャリア信号に対応する周波数における第１中心位相差は、（Δθ＋ωｃ・Δτｄ）となる。従って、第１傾き算出部７２は、第１測定フェーズにおいて、サブキャリアの周波数に対する位相差の第１の傾きとして、（Δτ＋Δτｄ）を出力する。また、第１中心位相差算出部８２は、第１測定フェーズにおいて、キャリア信号に対応する周波数における第１中心位相差として、（Δθ＋ωｃ・Δτｄ）を出力する。
【００５９】
次に、切替部７０は、第１伝送ケーブル５４および第２伝送ケーブル５６の接続先を切り替える（Ｓ１１０２）。より具体的には、切替部７０は、調整信号を第１伝送ケーブル５４を介して第１受信装置１１０に供給するとともに調整信号を第２伝送ケーブル５６を介して第２受信装置１２０に供給するのに代えて、調整信号を第２伝送ケーブル５６を介して第１受信装置１１０に供給するとともに調整信号を第１伝送ケーブル５４を介して第２受信装置１２０に供給するように、接続を切り替える。
【００６０】
次に、第２測定フェーズにおいて、測定装置２０は、切り替えた状態において、図３に示すステップＳ１００１〜ステップＳ１００５の処理を実行する（Ｓ１１０３）。第１受信装置１１０は、一例として、式（７）に表されるような第１検波信号（ベースバンドの時間領域のＯＦＤＭ信号）を検波し、第２受信装置１２０は、一例として、式（８）に表されるような第２検波信号（ベースバンドの時間領域のＯＦＤＭ信号）を検波する。
【００６１】
【数５】
2008092188.tif 000007
【００６２】
式（７）および式（８）から、第２測定フェーズにおいて得られたサブキャリアの周波数に対する位相差の第２の傾きは、（Δτ−Δτｄ）となる。また、第２測定フェーズにおいて得られたキャリア信号に対応する周波数における第２中心位相差は、（Δθ−ωｃ・Δτｄ）となる。従って、第２傾き算出部７４は、第２測定フェーズにおいて、サブキャリアの周波数に対する位相差の第２の傾きとして、（Δτ−Δτｄ）を出力する。また、第２中心位相差算出部８４は、第２測定フェーズにおいて、キャリア信号に対応する周波数における第２中心位相差として、（Δθ−ωｃ・Δτｄ）を出力する。
【００６３】
次に、スキュー算出部５８は、第１測定フェーズにおいて算出された第１の傾き（Δτ−Δτｄ）と第２測定フェーズにおいて算出された第２の傾き（Δτ＋Δτｄ）との平均をスキューΔτとして出力する（Ｓ１１０４）。次に、キャリア位相差算出部６０は、第１測定フェーズにおいて算出された第１中心位相差（Δθ−ωｃ・Δτｄ）と、第２測定フェーズにおいて算出された第２中心位相差（Δθ＋ωｃ・Δτｄ）との平均をキャリア位相差Δθとして出力する（Ｓ１１０５）。
【００６４】
以上のような本変形例に係る測定装置２０によれば、送信部３２から第１受信装置１１０および第２受信装置１２０へ調整信号を供給する伝送路に入力スキューが含まれていても、第１受信装置１１０および第２受信装置１２０の間のスキューおよびキャリア位相差を精度良く測定することができる。なお、本変形例において、演算部４８は、更に、第１測定フェーズにおいて算出された第１の傾き（Δτ＋Δτｄ）と第２測定フェーズにおいて算出された第２の傾き（Δτ−Δτｄ）との差の１／２を、入力スキューΔτｄとして算出してもよい。
【００６５】
図９は、本実施形態に係るコンピュータ１９００のハードウェア構成の一例を示す。本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＣＤ−ＲＯＭドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００６６】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００６７】
入出力コントローラ２０８４は、ホスト・コントローラ２０８２と、比較的高速な入出力装置である通信インターフェイス２０３０、ハードディスクドライブ２０４０、ＣＤ−ＲＯＭドライブ２０６０を接続する。通信インターフェイス２０３０は、ネットワークを介して他の装置と通信する。ハードディスクドライブ２０４０は、コンピュータ１９００内のＣＰＵ２０００が使用するプログラム及びデータを格納する。ＣＤ−ＲＯＭドライブ２０６０は、ＣＤ−ＲＯＭ２０９５からプログラム又はデータを読み取り、ＲＡＭ２０２０を介してハードディスクドライブ２０４０に提供する。
【００６８】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラムや、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスクドライブ２０４０に提供する。入出力チップ２０７０は、フレキシブルディスク・ドライブ２０５０や、例えばパラレル・ポート、シリアル・ポート、キーボード・ポート、マウス・ポート等を介して各種の入出力装置を接続する。
【００６９】
ＲＡＭ２０２０を介してハードディスクドライブ２０４０に提供されるプログラムは、フレキシブルディスク２０９０、ＣＤ−ＲＯＭ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【００７０】
コンピュータ１９００にインストールされ、コンピュータ１９００を測定装置２０として機能させるプログラムは、送信モジュールと、供給モジュールと、検波制御モジュールと、第１抽出モジュールと、第２抽出モジュールと、位相差算出モジュールと、演算モジュールとを備える。これらのプログラム又はモジュールは、ＣＰＵ２０００等に働きかけて、コンピュータ１９００を、送信部３２、供給部３４、検波制御部３６、第１抽出部４２、第２抽出部４４、位相差算出部４６、演算部４８としてそれぞれ機能させる。
【００７１】
以上に示したプログラム又はモジュールは、外部の記憶媒体に格納されてもよい。記憶媒体としては、フレキシブルディスク２０９０、ＣＤ−ＲＯＭ２０９５の他に、ＤＶＤやＣＤ等の光学記録媒体、ＭＯ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１９００に提供してもよい。
【００７２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７３】
【図１】本発明の実施形態に係る試験装置１０の構成を第１被試験送信回路２１０および第２被試験送信回路２２０とともに示す。
【図２】本発明の実施形態に係る測定装置２０の構成を、発振部１６、第１受信装置１１０および第２受信装置１２０とともに示す。
【図３】本発明の実施形態に係る測定装置２０および補正部２２によるスキューおよびキャリア位相差の測定および補正フローを示す。
【図４】ベースバンドのＯＦＤＭ信号の一例を示す。
【図５】第１検波信号および第２検波信号に対するフーリエ変換範囲の一例を示す。
【図６】サブキャリアの周波数に対する位相の関係の一例を示す。
【図７】実施形態の変形例に係る測定装置２０の構成を、発振部１６、第１受信装置１１０および第２受信装置１２０とともに示す。
【図８】本変形例に係る測定装置２０によるスキューおよびキャリア位相差の測定フローを示す。
【図９】本発明の実施形態に係るコンピュータ１９００のハードウェア構成の一例を示す。
【符号の説明】
【００７４】
１０  試験装置
１２  送信制御部
１４  判定部
１６  発振部
２０  測定装置
２２  補正部
３２  送信部
３４  供給部
３６  検波制御部
４２  第１抽出部
４４  第２抽出部
４６  位相差算出部
４８  演算部
５２  パワーディバイダ
５４  第１伝送ケーブル
５６  第２伝送ケーブル
５８  スキュー算出部
６０  キャリア位相差算出部
７０  切替部
７２  第１傾き算出部
７４  第２傾き算出部
７６  スキュー平均化部
８２  第１中心位相差算出部
８４  第２中心位相差算出部
８６  キャリア位相差平均化部
１１０  第１受信装置
１２０  第２受信装置
２１０  第１被試験送信回路
２２０  第２被試験送信回路
３０２  検波部
３０４  サンプリング部
３０６  記憶部
３０８  入力端
１９００  コンピュータ
２０００  ＣＰＵ
２０１０  ＲＯＭ
２０２０  ＲＡＭ
２０３０  通信インターフェイス
２０４０  ハードディスクドライブ
２０５０  フレキシブルディスク・ドライブ
２０６０  ＣＤ−ＲＯＭドライブ
２０７０  入出力チップ
２０７５  グラフィック・コントローラ
２０８０  表示装置
２０８２  ホスト・コントローラ
２０８４  入出力コントローラ
２０９０  フレキシブルディスク
２０９５  ＣＤ−ＲＯＭ
【図１】
2008092188.tif 000008
【図２】
2008092188.tif 000009
【図３】
2008092188.tif 000010
【図４】
2008092188.tif 000011
【図５】
2008092188.tif 000012
【図６】
2008092188.tif 000013
【図７】
2008092188.tif 000014
【図８】
2008092188.tif 000015
【図９】
2008092188.tif 000016